(57)【要約】【課題】  鳥害の影響を受け易い部位を容易に保護して、鳥害に起因する心線の断線を確実に防止することができるケーブル引込部の構造を提供する。【解決手段】  内部にケーブル同士の接続部分が収容されるスリーブを有するケーブル接続用クロージャ２０と、ケーブル接続用クロージャ２０から所定の間隔だけ離間して配置されてケーブル４の表面上に螺旋状に巻回されたスパイラルハンガ２１との離間部位に着脱可能なクランプカバー１０１を取り付けて、引き込みの際の分岐点となるケーブル部位の表面を保護する保護部１００を設けた。【選択図】図２
2010008771.tif 000002
【特許請求の範囲】
【請求項１】
内部にケーブル同士の接続部分が収容されるスリーブを有するケーブル接続用クロージャと、前記ケーブル接続用クロージャから所定の間隔だけ離間して配置されてケーブルの表面上に螺旋状に巻回されたスパイラルハンガとの離間部位に着脱可能なクランプカバーを取り付けて、引き込みの際の分岐点となるケーブル部位の表面を保護する保護部を設けたことを特徴とするケーブル引込部の構造。
【請求項２】
前記保護部は、前記ケーブル接続用クロージャの後端部から前記スパイラルハンガが取り付けられている先端部までの離間部位に形成された水切り部位を前記クランプカバーで前記ケーブルの支持線と共に挟み込むことで構成されたことを特徴とする請求項１に記載のケーブル引込部の構造。
【請求項３】
前記ケーブルはＦＴＴＨのアクセス線路であり、架空から加入者施設へ引き込まれるドロップケーブルであることを特徴とする請求項１又は２に記載のケーブル引込部の構造。
【発明の詳細な説明】
【技術分野】
【０００１】
本発明は、ケーブル引込部の構造に関し、特にＦＴＴＨ（Fiber To The Home）の引込部に適用して有用なものである。
【背景技術】
【０００２】
従来から、電力会社などでは電気やインターネット網などのライフラインに関するサービスを提供するにあたり、電柱を介して架空に設置されているケーブルを契約者施設などに引き込む作業を実施して、ケーブルの支持線に取り付けられたケーブル接続用クロージャから個別に分岐した一本ずつのドロップケーブル（引込線）を敷設することで、各契約者に対する電気やインターネット網などのライフライン環境を構築している。
【０００３】
上述のような作業を実施するにあたり、例えば、ケーブルの心線に張力がかからないようにゆとりを取って敷設する、又はスパイラルハンガを用いて敷設するケーブルの主要部を一束化するなどの様々な工夫がなされている。
【０００４】
また、ケーブル心線の損傷を抑制させるための構造として、光ファイバケーブルの接続構造及び接続用クロージャ（特許文献１参照）が提案されている。一方、ケーブル心線の接続に支障を与えないための構造として、光ファイバケーブルの固定構造及び固定方法（特許文献２参照）なども提案されている。
【０００５】
上記した何れの構造もライフラインの要となる心線を保護する目的ではあるが、例えば、鳥害などある程度リスクが判明している故障などの損失に対する対策に部分的に適用できるものではなかった。
【０００６】
【特許文献１】特開２００５−１９５７８４号公報（特許請求の範囲等）
【特許文献２】特開２００７−４１０１４号公報（特許請求の範囲等）
【発明の開示】
【発明が解決しようとする課題】
【０００７】
本発明はかかる事情に鑑み、鳥害の影響を受け易い部位を容易に保護して、鳥害に起因する心線の断線を確実に防止することができるケーブル引込部の構造を提供することを目的とする。
【課題を解決するための手段】
【０００８】
上記目的を達成するための本発明の第１の態様は、内部にケーブル同士の接続部分が収容されるスリーブを有するケーブル接続用クロージャと、前記ケーブル接続用クロージャから所定の間隔だけ離間して配置されてケーブルの表面上に螺旋状に巻回されたスパイラルハンガとの離間部位に着脱可能なクランプカバーを取り付けて、引き込みの際の分岐点となるケーブル部位の表面を保護する保護部を設けたことを特徴とするケーブル引込部の構造にある。
【０００９】
かかる第１の態様では、保護部を設けることで、鳥害の影響を受け易いケーブル接続用クロージャとスパイラルハンガとの間の離間部位を確実に保護することができる。
【００１０】
本発明の第２の態様は、前記保護部は、前記ケーブル接続用クロージャの後端部から前記スパイラルハンガが取り付けられている先端部までの離間部位に形成された水切り部位を前記クランプカバーで前記ケーブルの支持線と共に挟み込むことで構成されたことを特徴とする第１の態様に記載のケーブル引込部の構造にある。
【００１１】
かかる第２の態様では、クランプカバーの取り付けだけで、上記離間部位の特に狙われ易い部位（水切り部位）を確実に且つ容易に保護することができる。
【００１２】
本発明の第３の態様は、前記ケーブルはＦＴＴＨのアクセス線路であり、架空から加入者施設へ引き込まれるドロップケーブルであることを特徴とする第１又は２の態様に記載のケーブル引込部の構造にある。
【００１３】
かかる第３の態様では、鳥害の影響を受け易い部位を保護して、鳥害に起因する心線の断線を確実に防止することができるため、例えば、ライフラインとしての要求が高まるインターネット網を故障のリスクから保護することができる。
【発明の効果】
【００１４】
本発明によれば、鳥害の影響を受け易い部位を容易に保護して、鳥害に起因する心線の断線を確実に防止することができるケーブル引込部の構造を提供することができる。
【発明を実施するための最良の形態】
【００１５】
以下、本発明を実施するための最良の形態について説明する。なお、本実施形態の説明は例示であり、本発明は以下の説明に限定されない。
【００１６】
図１は、本実施形態に係るケーブルの敷設状況を説明する斜視図であり、図２は、本実施形態に係る敷設ケーブルの引込部を示す概略構成図である。
【００１７】
本実施形態では、敷設されるケーブルとして、各契約者に対するインターネット網環境を構築する際の通信線となる光ファイバケーブルを想定している。すなわち、図１に例示するように、電柱３を介して架空配線網１から個別の契約者宅２などに引き込まれるケーブル４として、ＦＴＴＨ（Fiber To The Home）のアクセス線路を想定している。
【００１８】
また、ケーブル４の引込部１０は、先端がケーブル接続用クロージャ２０を介して架空配線網１に接続されると共に、端部が契約者宅２（家屋側）の取付点となる引込口３０に接続されることで構成されている。
【００１９】
ここで、ケーブル４を個別に契約者宅２に引き込む際の分岐点となる引込口３０の構造について、図２を用いて具体的に説明する。
【００２０】
図示するように、内部にケーブル同士の接続部分が収容されるトレイを有するケーブル接続用クロージャ２０は、支持線１０５の金具部分に引っ掛けて支持線１０５を専用の固定穴で固定する固定部材１０６を介して設置されている。また、ケーブル４が分岐することで引き込まれる引込線１０４は、支持線１０５に設置されている柱間引込線留金具１０７を基点として、柱間引込線留金具１０７に取り付けられている引込線引留具１０２を介して引き込まれる。
【００２１】
図２（ａ）は、引込部１０において、保護部１００を構成するクランプカバー１０１が取り付けられていない状態を示しており、図２（ｂ）は、保護部１００を構成するクランプカバー１０１が取り付けられている状態を示している。
【００２２】
ここで、図２（ａ）において、Ａ部が狙われ易い部位を示しており、Ｂ部はスパイラルスリーブ等で保護されている部位を示している。ここで、ケーブル４の表面を保護するクランプカバー１０１は、Ａ部の水きり部分１０３に設置される。
【００２３】
引込線引留具１０２を介して家屋側（契約者宅２）へ分岐して引き込まれる引込線１０４の手前部分（Ｂ部）にも、水切り部分１０３に相当する箇所があるが、Ｂ部はＡ部に比べて線路のたるみ具合が小さく目立たない。このため、本実施形態においては、保護部１００を構成するクランプカバー１０１の取り付け対象外となる。
【００２４】
図２（ｂ）に示す例では、ケーブル接続用クロージャ２０と、ケーブル接続用クロージャ２０から所定の間隔だけ離間して配置されてケーブル４の表面上に螺旋状に巻回されたスパイラルハンガ２１との離間部位に、着脱可能なクランプカバー１０１を取り付けて保護部１００を構成することで、引き込みをする際の分岐点となるケーブル部位の表面が保護される。
【００２５】
具体的には、保護部１００は、ケーブル接続用クロージャ２０の後端部からスパイラルハンガ２１が取り付けられている先端部までの離間部位に形成された水切り部分１０３をクランプカバー１０１でケーブル４の支持線１０５と共に挟み込むことで構成される。
【００２６】
ここで、各契約者宅２に対する引込部１０を構成するドロップケーブルについて説明する。図３は、本実施形態に係る敷設ケーブルの引込部に用いられるドロップケーブルの一例を示す断面図である。
【００２７】
図３に示すように、本実施形態に適用するドロップケーブル（ケーブル４）は、単心ドロップからなり、光ファイバー心線４１の軸上下方向を両側から挟み込みようにテンションメンバ４２が配置され且つドロップケーブルの最上部に支持線４３が設けられて、これらの各線路がシース４４で一括して被覆されたケーブルである。
【００２８】
このようなドロップケーブル（ケーブル４）の４５及び４６が適宜分離された状態または結合された状態で敷設されることで、引込部１０の分岐点が構成される。
【００２９】
ここで、ケーブル４の保護部１００を構成するクランプカバー１０１について説明する。図４は、本実施形態に係る敷設ケーブルの保護部を構成するクランプカバーの一例を示す概略図である。
【００３０】
図４（ａ）には、クランプカバー１０１の展開図が示されており、図４（ｂ）には、クランプカバー１０１を取り付けた際の斜視図が示されている。
【００３１】
図示するように、クランプカバー１０１は、中央部分で折り曲げ可能なようにヒンジ部１２１が設けられており、ヒンジ部１２１を中心にして左右対称となる形状によって構成されており、折り曲げることで内部が空洞状態となる。
【００３２】
また、クランプカバー１０１の外周には、ケーブル４を挿入する際の開口部を形成するケーブル挿入口１２２を除いて外縁部１２３が設けられている。外縁部１２３は、何れか一方が凸部となるように形成されていると共に、他方が凹部となるように形成されており、ケーブル挿入口１２２はケーブル４が挿入される内部空間と貫通した形状となっている。そして、一方の外縁部１２３Ａが他方の外縁部１２３Ｂと嵌合することでケーブル４を挟み込むことで取り付けることができるようになっている。
【００３３】
上述したようなクランプカバー１０１は、例えば、専用に製造されたカバーであってもよいが、例えば、内部が空洞となっておりケーブル４を収容することが可能な他のカバー等を改造したものであってもよい。これにより、専用のカバーを製造するコストをかけずに鳥害対策をすることが可能となる。
【００３４】
また、ケーブル挿入口１２２の形状は、必ずしも円形状でなくてもよい。例えば、図４に示すハッチング部が切除されて他端に貫通するように形成されていてもよいし、ケーブル４が収容し易い形状に加工されていてもよい。このようにして、ケーブル挿入口１２２の形状（ハッチング部）を自由に成形・加工することで、ケーブル接続用クロージャ２０の設置環境や水きり部分１０３の成形状態に応じて、適宜鳥害対策を施すことが可能となる。
【００３５】
以上説明したように、本実施形態では、鳥害の影響を受け易い部位となるケーブル接続用クロージャ２０とスパイラルハンガ２１との間の離間部位に着脱可能なクランプカバー１０１を取り付けるようにしたため、例えば、ケーブル接続用クロージャ２０にとまった鳥が嘴でケーブル４を突つくことで発生する心線の断線を確実に且つ容易に防止することができる。これにより、例えば、各家庭に対するライフラインとしての要求が高まるインターネット網を鳥害に起因する故障のリスクから保護することができる。
【図面の簡単な説明】
【００３６】
【図１】本実施形態に係るケーブルの敷設状況を説明する斜視図である。
【図２】本実施形態に係る敷設ケーブルの引込部を示す概略構成図である。
【図３】本実施形態に係る敷設ケーブルの引込部に用いられるドロップケーブルの一例を示す断面図である。
【図４】本実施形態に係る敷設ケーブルの保護部を構成するクランプカバーの一例を示す概略図である。
【符号の説明】
【００３７】
１  架空配線網
２  契約者宅
３  電柱
４  ケーブル
１０  引込部
２０  ケーブル接続用クロージャ
２１  スパイラルハンガ
３０  引込口
４１  光ファイバー心線
４２  テンションメンバ
４３  支持線
４４  シース
１００  保護部
１０１  クランプカバー
１０２  引込線引留具
１０３  水きり部分
１０４  引込線
１０５  支持線
１０６  固定部材
１０７  柱間引込線留金具
１２１  ヒンジ部
１２２  ケーブル挿入口
１２３（１２３Ａ、１２３Ｂ）  外縁部
【図１】
2010008771.tif 000003
【図２】
2010008771.tif 000004
【図３】
2010008771.tif 000005
【図４】
2010008771.tif 000006